(57)【要約】【課題】硬い地盤に連続孔を簡単且つ正確に形成する。【解決手段】２本の先行用の掘削軸２により地盤３に一定間隔の掘り残し部４を隔てて２個の先行孔５を掘削し、平面視で上記対となった２個の先行孔５の中心同士を結ぶ線の延長上に、一定間隔と同じ掘り残し部４を隔てて次の２個の先行孔５を形成するという工程を繰り返して、先行孔列６を形成する。次に、３本以上の後行用の掘削軸８を備えた多軸掘削機７を用いて、３本以上の後行用の掘削軸８のうち一部の後行用の掘削軸８を先行孔５に挿入すると共に、他の後行用の掘削軸８で先行孔５間の掘り残し部４を掘削して先行孔５と連通する後行孔９を形成して、先行孔５と後行孔９とが一部重複しながら交互に連通連続し且つ平面視で先行孔５と後行孔９の中心が一直線上に位置する連続孔１０を形成する。【選択図】図１
2009150145.tif 000002
【特許請求の範囲】
【請求項１】
多軸掘削機に取付けた２個の先行用の掘削軸の上下方向の下部又は中間部分を、両先行用の掘削軸の外端の描く回転軌跡間の間隔が一定間隔を保持するように連結手段により連結し、該２本で対となった先行用の掘削軸を備えた多軸掘削機を用いて、上記２本で対となった先行用の掘削軸により地盤に一定間隔の幅の掘り残し部を隔てて２個で対となった先行孔を掘削し、平面視で上記対となった２個の先行孔の中心同士を結ぶ線の延長上に、上記一定間隔と同じ幅の掘り残し部を隔てて次の２個で対となった先行孔を形成するという工程を繰り返して、多数の２個で対となった先行孔が平面視で上記一定間隔の幅の掘り残し部を隔てて一直線に並んだ先行孔列を形成し、
次に、平面視で中心が一直線上に並び且つ隣接する孔同士が平面視で一部重複するように掘削するようにした３本以上の後行用の掘削軸を備えた多軸掘削機を用いて、３本以上の後行用の掘削軸のうち一部の後行用の掘削軸を上記先行孔に挿入すると共に、他の後行用の掘削軸で先行孔間の掘り残し部を掘削して先行孔と連通する後行孔を形成して、先行孔と後行孔とが一部重複しながら交互に連通連続し且つ平面視で先行孔と後行孔の中心が一直線上に位置する連続孔を形成することを特徴とする地盤掘削方法。
【請求項２】
多軸掘削機に、３本以上の掘削軸の上端部を着脱自在に取付けて各掘削軸を回転駆動するための３つ以上の軸取付部を平面視で一直線上に並設した駆動部を設け、上記多軸掘削機の駆動部に、２つの先行用の掘削軸を１つの軸取付部を挟んだ両側の軸取付部に着脱自在に取付けて、該２つの先行用の掘削軸を取付けた多軸掘削機を用いて、請求項１記載の方法で先行孔列を形成し、次に、上記２つの先行用の掘削軸を軸取付部から外すと共に３つ以上の軸取付部にそれぞれ後行用の掘削軸を取付けて、該３つ以上の後行用の掘削軸を取付けた多軸掘削機を用いて、請求項１記載の方法で先行孔と後行孔とが交互に連通連続する連続孔を形成することを特徴とする請求項１記載の地盤掘削方法。
【請求項３】
先行用の掘削軸により掘削される先行孔の孔径と、後行用の掘削軸により掘削される後行孔の孔径とが同じであることを特徴とする請求項１又は請求項２記載の地盤掘削方法。
【請求項４】
先行用の掘削軸により掘削される先行孔の孔径が、後行用の掘削軸により掘削される後行孔の孔径よりも大きいことを特徴とする請求項１又は請求項２記載の地盤掘削方法。
【発明の詳細な説明】
【技術分野】
【０００１】
本発明は、地盤に多数の孔が一部重複しながら連通連続する連続孔を掘削するための地盤掘削方法に関するものである。
【背景技術】
【０００２】
従来から、地盤を掘削して先行孔を形成し、その後、地盤を掘削して先行孔間に後行孔を形成することで、先行孔と後行孔とが一部重複しながら連通連続し且つ平面視で先行孔と後行孔の中心が一直線上に位置する連続孔を形成することが、例えば、特許文献１や特許文献２により知られている。
【０００３】
上記特許文献１に示された従来例は、まず、多軸掘削機（例えば３軸）を用いて３つの先行孔が互いに隣合い且つ先行孔同士が一部重複する先行孔群を掘削し、次に、上記３つの連続する先行孔よりなる先行孔群の隣に、一定間隔の掘り残し部を隔てて上記と同様にして３つの連続する掘削孔が連続する次の先行孔群を形成するというようにして、多数の先行孔群が所定間隔を隔てて並んだ先行孔列を形成し、次に、同じ多軸掘削機（例えば３軸）を用いて、多軸掘削機の３軸の掘削軸のうち両側の掘削軸を上記隣合う先行孔群の端部の先行孔に挿入すると共に、中間の掘削軸で掘り残し部を掘削して先行孔に連通連続する後行孔を形成するという方法で連続孔を形成するようにしている。
【０００４】
ところが、この従来例にあっては、先行孔を形成するに当って、３軸の掘削軸により３つの先行孔群を同時に掘削しなければならず、硬い地盤の場合３軸の掘削軸で先行掘削しようとしても、３軸で同時に硬い地盤を先行掘削するため、掘削抵抗が大きく、掘削に支障が生じ、正確に且つ素早く先行孔を掘削できないという問題がある。
【０００５】
一方、特許文献２に示された従来例は、まず、１軸掘削機で１つの先行孔を掘削し、次に、該先行孔の隣に、一定間隔の掘り残し部を隔てて上記と同様にして１つの掘削孔を掘削するというようにして、多数の先行孔が所定間隔を隔てて並んだ先行孔列を形成し、次に、多軸掘削機（例えば３軸）を用いて、多軸掘削機の３軸の掘削軸のうち両側の掘削軸を上記隣合う先行孔群の端部の先行孔に挿入すると共に、中間の掘削軸で掘り残し部を掘削して先行孔に連通連続する後行孔を形成するという方法で連続孔を形成するようにしている。
【０００６】
この特許文献２に示された従来例は、先行孔を１つ、１つ掘削していくので、硬い地盤であっても、比較的素早く掘削できるが、地盤が硬いため、１本の掘削軸で１つ１つ先行孔を掘削する際、硬い地盤の抵抗により掘削軸が前後、左右に傾きながら掘進していきやすく、形成される１つ１つの先行孔の上端は上端の位置は設計通りの位置となる（つまり、地上で掘削に当って掘削軸の位置決めをして掘削するので上端は設計通りの位置となる）が、下部はそれぞれ前後、左右の様々な方向に傾いて形成されやすく、したがって、多軸掘削機で後行孔を形成する場合、先行孔と後行孔の上部においては連通連続するが、先行孔と後行孔との下部においては連通連続しない部分がでてくる可能性があり、先行孔と後行孔とが上下方向にわたって、連通連続する正確な連続孔を形成できなくなるおそれがある。
【０００７】
また、この特許文献２に示された従来例は、１本の掘削軸で１つ１つ先行孔を掘削するので、施工時間が長くかかるという問題もある。
【特許文献１】特開平１０−２８０３８５号公報
【特許文献２】特開平８−６８０４６号公報
【発明の開示】
【発明が解決しようとする課題】
【０００８】
本発明は上記の従来の問題点に鑑みて発明したものであって、硬い地盤であっても、簡単且つ正確に先行孔と後行孔とが一部重複しながら交互に連通連続し且つ平面視で先行孔と後行孔の中心が一直線上に位置する連続孔を形成することができ、施工時間も短縮できる地盤掘削方法を提供することを課題とするものである。
【課題を解決するための手段】
【０００９】
上記課題を解決するために本発明に係る地盤掘削方法は、多軸掘削機７に取付けた２個の先行用の掘削軸２の上下方向の下部又は中間部分を、両先行用の掘削軸２の外端の描く回転軌跡間の間隔が一定間隔Ｍを保持するように連結手段１により連結し、該２本で対となった先行用の掘削軸２を備えた多軸掘削機７を用いて、上記２本で対となった先行用の掘削軸２により地盤３に一定間隔Ｍの幅の掘り残し部４を隔てて２個で対となった先行孔５を掘削し、平面視で上記対となった２個の先行孔５の中心同士を結ぶ線の延長上に、上記一定間隔Ｍと同じ幅の掘り残し部４を隔てて次の２個で対となった先行孔５を形成するという工程を繰り返して、多数の２個で対となった先行孔５が平面視で上記一定間隔Ｍの幅の掘り残し部４を隔てて一直線に並んだ先行孔列６を形成し、次に、平面視で中心が一直線上に並び且つ隣接する孔同士が平面視で一部重複するように掘削するようにした３本以上の後行用の掘削軸８を備えた多軸掘削機７を用いて、３本以上の後行用の掘削軸８のうち一部の後行用の掘削軸８を上記先行孔５に挿入すると共に、他の後行用の掘削軸８で先行孔５間の掘り残し部４を掘削して先行孔５と連通する後行孔９を形成して、先行孔５と後行孔９とが一部重複しながら交互に連通連続し且つ平面視で先行孔５と後行孔９の中心が一直線上に位置する連続孔１０を形成することを特徴とするものである。
【００１０】
このような方法を採用することで、連結手段１で一定間隔を保持するように連結された２本で対となった先行用の掘削軸２により地盤３に一定間隔Ｍの幅の掘り残し部４を隔てて２個で対となった先行孔５を掘削できるので、３本の掘削軸で同時に３つの先行孔を掘削するものに比べて硬い地盤３であっても、容易に掘削できると共に、一定間隔Ｍの幅の掘り残し部４を隔てて掘削された２個で対となった先行孔５は連結手段１で間隔を保持されているので、対となった先行孔５が互いにずれて傾斜するのが規制されて上部はもちろん下部も正確に掘削でき、また、既に形成した対となった先行孔５の隣りに掘削する次の対となった先行孔５は、掘削に当って２本で対となった先行用の掘削軸２による掘削位置を位置決めして掘削するので、対となった先行孔５の上部の位置が隣の先行孔５に対して一定間隔を隔てているのは勿論、上記のように対となった先行孔５が互いにずれて傾斜するのが規制されて上部はもちろん下部も正確に掘削でき、この結果、先行孔列６の各先行孔５は、いずれも、上部はもちろん下部の正確に掘削されることになる。
【００１１】
しかも、このようにして正確に先行孔列６を形成した後、掘削された３本以上の後行用の掘削軸８を備えた多軸掘削機７を用いて、３本以上の後行用の掘削軸８のうち一部の後行用の掘削軸８を上記先行孔５に挿入すると共に、他の後行用の掘削軸８で先行孔５間の掘り残し部４を掘削して先行孔５と連通する後行孔９を形成するので、正確に形成された先行孔５をガイドとしならが、掘り残し部４を掘削して後行孔９を正確に形成でき、硬い地盤３であっても、簡単且つ正確に先行孔５と後行孔９とが一部重複しながら交互に連通連続し且つ平面視で先行孔５と後行孔９の中心が一直線上に位置する連続孔１０を形成することができることになる。
【００１２】
また、多軸掘削機７に、３本以上の掘削軸の上端部を着脱自在に取付けて各掘削軸を回転駆動するための３つ以上の軸取付部１１を平面視で一直線上に並設した駆動部１２を設け、上記多軸掘削機７の駆動部１２に、２つの先行用の掘削軸２を１つの軸取付部１１を挟んだ両側の軸取付部１１に着脱自在に取付けて、該２つの先行用の掘削軸２を取付けた多軸掘削機７を用いて、請求項１記載の方法で先行孔列６を形成し、次に、上記２つの先行用の掘削軸２を軸取付部１１から外すと共に３つ以上の軸取付部１１にそれぞれ後行用の掘削軸８を取付けて、該３つ以上の後行用の掘削軸８を取付けた多軸掘削機７を用いて、請求項１記載の方法で先行孔５と後行孔９とが交互に連通連続する連続孔１０を形成することが好ましい。
【００１３】
このような方法を採用することで、３本以上の後行用の掘削軸８を着脱自在に取付けて先行孔５と連通する後行孔９を形成するための多軸掘削機７に備えた３つ以上の軸取付部１１を利用して、２つの先行用の掘削軸２を１つの軸取付部１１を挟んだ両側の軸取付部１１に着脱自在に取付けることで、先行用、後行用の掘削軸２、８を取付けて掘削する多軸掘削機７を共用できることになる。
【００１４】
また、先行用の掘削軸２により掘削される先行孔５の孔径と、後行用の掘削軸８により掘削される後行孔９の孔径とが同じであることが好ましい。
【００１５】
このような方法を採用することで、３本以上の後行用の掘削軸８のうち一部の後行用の掘削軸８を上記先行孔５に挿入すると共に、他の後行用の掘削軸８で先行孔５間の掘り残し部４を掘削して先行孔５と連通する後行孔９を形成する際、先行孔５に後行用の掘削軸８を挿入して先行孔５で後行用の掘削軸８を正確にガイドしながら後行孔９を正確に掘削することができる。
【００１６】
また、先行用の掘削軸２により掘削される先行孔５の孔径が、後行用の掘削軸８により掘削される後行孔９の孔径よりも大きいことが好ましい。
【００１７】
このような方法を採用することで、３本以上の後行用の掘削軸８のうち一部の後行用の掘削軸８を上記先行孔５に挿入すると共に、他の後行用の掘削軸８で先行孔５間の掘り残し部４を掘削して先行孔５と連通する後行孔９を形成する際、先行孔５が多少傾いていたとしても、先行孔５に後行用の掘削軸８をスムーズに挿入して先行孔５で後行用の掘削軸８をガイドしながら後行孔９を掘削でき、しかも、先行孔５の孔径が大きいので、確実に先行孔５と後行孔９とを一部重複しながら交互に連通連続するように掘削できる。
【発明の効果】
【００１８】
本発明は、上記のように、上下方向の下部又は中間部分を連結手段により一定間隔を保持するように連結された２本で対となった先行用の掘削軸を備えた多軸掘削機を用いて、上記２本で対となった先行用の掘削軸により地盤に一定間隔Ｍの幅の掘り残し部を隔てて２個で対となった先行孔を掘削、その後、３本以上の後行用の掘削軸を備えた多軸掘削機を用いて、３本以上の後行用の掘削軸のうち一部の後行用の掘削軸を上記先行孔に挿入すると共に、他の後行用の掘削軸で先行孔間の掘り残し部を掘削して先行孔と連通する後行孔を形成するので、硬い地盤であっても、簡単且つ正確に先行孔と後行孔とが一部重複しながら交互に連通連続し且つ平面視で先行孔と後行孔の中心が一直線上に位置する連続孔を形成することができ、施工時間も短縮することができる。
【発明を実施するための最良の形態】
【００１９】
以下、本発明を添付図面に示す実施形態に基いて説明する。
【００２０】
地盤３を掘削して連続孔１０とは、例えば、孔中に掘削土砂とセメントミルクのような固結材との混合物が充填された連続孔１０であり、上記固結材が固化することで、連続孔１０内に掘削土砂と固結材との混合物が固化した地中連続壁が形成される。
【００２１】
地盤３を掘削して上記地中連続壁となる連続孔１０を形成するに当って、本発明においては、まず、先行孔５を掘削し、次に、後行孔９を掘削することで、先行孔５と後行孔９とが一部重複しながら交互に連通連続し且つ平面視で先行孔５と後行孔９の中心が一直線上に位置する連続孔１０を形成するようにしている。
【００２２】
先行孔５を掘削するには図１（ａ）、図２（ａ）に示すような多軸掘削機７を用いて掘削する。
【００２３】
多軸掘削機７は、３本以上の掘削軸の上端部を着脱自在に取付けて各掘削軸を回転駆動するための３つ以上の軸取付部１１を平面視で一直線上に並設した駆動部１２を設けたもので、該駆動部１２は図示を省略している本体機に上下方向に昇降自在に取付けて構成してあり、駆動部１２を駆動することで、減速機構を介して３つ以上の軸取付部１１をそれぞれ回転するようになっている。なお、図１（ａ）、図２（ａ）では３つの軸取付部１１を設けた例が示してある。
【００２４】
先行孔５を掘削するに当っては、上記多軸掘削機７に、図１（ａ）、図２（ａ）に示すように２つの先行用の掘削軸２の上端部を１つの軸取付部１１を挟んだ両側の軸取付部１１に着脱自在に取付けたものを使用する。
【００２５】
この１つの軸取付部１１を挟んで両側の軸取付部１１に上端部を取付けた２つの先行用の掘削軸２は、上下方向の下部又は中間部分を連結手段１により２つの先行用の掘削軸２の外端の描く回転軌跡間の間隔が一定間隔Ｍを保持するように連結してある。連結手段１は縦板状をしていて下端は刃状となっていて掘削時に抵抗少なく侵入することができるようになっている。
【００２６】
上記の構成の２本で対となった先行用の掘削軸２を取付けた多軸掘削機７により以下のようにして先行孔５が一列に並んだ先行孔列６を形成する。
【００２７】
まず、上記多軸掘削機７に取付けた２本で対となった先行用の掘削軸２により掘削位置の位置決めをする。
【００２８】
次に、多軸掘削機７に取付けた２本で対となった先行用の掘削軸２からセメントミルクのような固結液を噴射しながら地盤３を掘削して、図１（ｂ）（ｃ）のように一定間隔Ｍの幅の掘り残し部４を隔てて２個で対となった先行孔５を掘削する。上記掘り残し部４の幅である一定間隔Ｍは、２つの対となった先行用の掘削軸２の外端の回転軌跡間の間隔と同じである。
【００２９】
この場合、２つの先行用の掘削軸２は、上下方向の下部又は中間部分を連結手段１により一定間隔Ｍを保持してあるので、２つの掘削軸２の外端の描く回転軌跡間の間隔が一定間隔Ｍを保ちながら地盤３を掘削することになり、また、掘削中に一方の掘削軸２が傾斜しようとしても、他方の掘削軸２により規制されることになり、この結果、掘削する地盤３が硬い地盤３であっても、２つの先行用の掘削軸２により掘削される２つの対となった先行孔５を、略垂直に且つ上下方向の各部で両先行孔５間の間隔が略一定となるように掘削することができる。しかも、駆動部１２により回転駆動する３つ以上の軸取付部１１のうち２つの軸取付部１１に取付けた２本の先行用の掘削軸２により地盤３を掘削するので、１本当たりの掘削軸２の掘削能力が向上し、硬い地盤３であっても確実且つ容易に目的とする２個で対となった先行孔５を掘削することができる。
【００３０】
したがって、対となった先行孔５間には図１（ｂ）に示すように、上下方向において略同じ掘り残し巾（一定間隔Ｍ）の略垂直な掘り残し部４が残されることになる。
【００３１】
なお、先行用の掘削軸２で地盤３を掘削するに当っては、上記のように先行用の掘削軸２の先端部からセメントミルクのような固結液を噴射しながら地盤３を掘削するので、先行孔５内に掘削土砂と固結液との混合物１３が充填されることになる。
【００３２】
次に、多軸掘削機７を地上で少し移動し、多軸掘削機７に取付けた２本で対となった先行用の掘削軸２により次の２つで対となった先行孔５の掘削位置の位置決めをする。
【００３３】
この２本で対となった先行用の掘削軸２による地上における掘削位置の位置決めは、地上で行うため、正確に位置決めすることができる。
【００３４】
２本で対となった先行用の掘削軸２を地上で位置決めするには、既に掘削した対となった２個の先行孔５の中心を結ぶ線の延長上に、上記次に掘削しょうとする対となった２個の先行孔５の各中心が位置するように２本で対となった先行用の掘削軸２を位置させるのであるが、この場合、更に、既に掘削した対となった２個の先行孔５のうち、これから掘削しようとする先行孔５側に位置する一側の先行孔５の中心と、これから掘削しようとする２個の先行孔５のうち、既に掘削した２個の先行孔５のうち上記一側の先行孔５の中心との間の距離Ｌ２が、既に掘削した対となった２個の先行孔５間の距離Ｌ１（つまり２個の先行用の掘削軸２の中心間の間隔と同じ、同様に３つ以上の軸取付部１１のうち、１つおきの軸取付部１１の中心間の間隔と同じ）と等しくなるように、２個の先行用の掘削軸２を位置させる。
【００３５】
その後、多軸掘削機７に取付けた２本で対となった先行用の掘削軸２からセメントミルクのような固結液を噴射しながら図２（ａ）のように地盤３を掘削して、図２（ｂ）（ｃ）のように次の内部に掘削土砂と固結剤との混合物１３が充填された２個で対となった先行孔５を一定間隔Ｍの幅の掘り残し部４を隔てて形成する。
【００３６】
同様にして、次々と、一定間隔Ｍと同じ幅の掘り残し部４を隔てて次の２個で対となった先行孔５を形成するという工程を繰り返すことで、図３（ａ）、（ｂ）に示すように、上下方向の各部において一定間隔Ｍを隔てた２個で対となった略垂直な先行孔５が、平面視で上記一定間隔Ｍの幅の掘り残し部４を隔てて一直線に並んだ先行孔列６を形成する。
【００３７】
このようにして形成された先行孔列６は、対となった２個の先行孔５が一定間隔Ｍを隔てて形成してあると共に、２個で対となった先行孔５と、隣の２個で対となった先行孔５とが一定間隔Ｍを隔てて形成してあるので、多数の先行孔５がいずれも隣合う先行孔５間に一定間隔Ｍの掘り残し部４を隔てて形成してあることになる。
【００３８】
上記のようにして多数の先行孔５が平面視で一定間隔Ｍの掘り残し部４を隔てて一直線上に並んだ先行孔列６を形成した後、後行孔９を形成する。
【００３９】
後行孔９を形成するに当っては、まず、上記多軸掘削機７から２個の先行用の掘削軸２を取外し、次に、該多軸掘削機７の駆動部１２の３つ以上（実施形態では３つ）の軸取付部１１のすべてにそれぞれ後行用の掘削軸８の上端部を着脱自在に取付ける（実施形態では３本の後行用の掘削軸８を取付ける）。
【００４０】
各軸取付部１１のすべてにそれぞれ後行用の掘削軸８を取付けた場合、平面視で隣合う後行用の掘削軸８の外端の回転軌跡同士が一部重複するようになっており、このため、隣り合う後行用の掘削軸８に設けた掘削ビットや、スクリューや攪拌羽根の平面視における回転軌跡同士は一部重複するが、該隣り合う後行用の掘削軸８の掘削ビット同士、あるいは、スクリューや攪拌羽根同士は、上下方向にずれて設けてある。
【００４１】
上記の構成の３本以上の先行用の掘削軸２を取付けた多軸掘削機７により以下のようにして後行孔９を形成して先行孔５と後行孔９とが交互に連通連続する連続孔１０を形成するには以下のようにして行う。
【００４２】
まず、図４（ａ）に示すように、３本以上（実施形態では３本）の後行用の掘削軸８のうち一部の後行用の掘削軸８を上記先行孔５に挿入すると共に、他の後行用の掘削軸８で先行孔５間の掘り残し部４を掘削して図４（ｂ）（ｃ）のように先行孔５と連通する後行孔９を形成する。ここで、後行用の掘削軸８の先端から固結液を噴射しながら掘削するものであり、これにより後行孔９内に掘削土砂と固結液との混合物１３が充填され、且つ先行孔５内に充填された混合物１３と、後行孔９内に充填された混合物とが互いに混ざり合って均質な混合物１３となる。
【００４３】
また、掘り残し部４を掘削して後行孔９を形成するに当って、後行用の掘削軸８のうち一部の後行用の掘削軸８を上記先行孔５に挿入してガイドしながら掘削していくので、正確に且つスムーズに掘り残し部４を掘削して後行孔９を形成することができる。
【００４４】
次に、３本以上の後行用の掘削軸８を用いて別の堀り残し部４を同様にして次々と掘削して後行孔９を形成する。
【００４５】
図４、図５、図６にはその後行孔９の形成順序の一例が示してあり、Ａ（第１セグメントの形成）→Ｂ（第２セグメントの形成）→Ｃ（第３セグメントの形成）というような順番で施工する。もちろん、後行孔９の形成順序は必ずしもこの施工順序のみに限定されるものではない。
【００４６】
このようにして先行孔５と後行孔９とが一部重複しながら交互に連通連続し且つ平面視で先行孔５と後行孔９の中心が一直線上に位置する図７に示すような連続孔１０を形成する。この連続孔１０内には掘削土砂と固結液との混合物１３が充填されているので、固結液が固化することで、地中連続壁が形成されることになる。
【００４７】
上記図１乃至図７に示す実施形態においては、先行孔５の径と後行孔９の径が同径の例が示してある。この実施形態においては、３本以上の後行用の掘削軸８のうち一部の後行用の掘削軸８を上記先行孔５に挿入すると共に、他の後行用の掘削軸８で先行孔５間の掘り残し部４を掘削して先行孔５と連通する後行孔９を形成する際、先行孔５に後行用の掘削軸８を挿入して先行孔５で後行用の掘削軸８を正確にガイドしながら後行孔９を正確に掘削することができることになる。
【００４８】
また、図８乃至図１４に示す実施形態においては、先行孔５の孔径が、後行用の掘削軸８により掘削される後行孔９の孔径よりも大きい場合の例が示してある。
【００４９】
ここで、図８（ａ）、（ｂ）は前述の実施形態の図１（ｂ）、（ｃ）にそれぞれ対応し、図９（ａ）、（ｂ）は前述の実施形態の図２（ｂ）、（ｃ）にそれぞれ対応し、図１０（ａ）、（ｂ）は前述の実施形態の図３（ａ）、（ｂ）にそれぞれ対応し、図１１（ａ）、（ｂ）は前述の実施形態の図４（ｂ）、（ｃ）にそれぞれ対応し、図１２（ａ）、（ｂ）は前述の実施形態の図５（ｂ）（ｃ）にそれぞれ対応し、図１３（ａ）、（ｂ）は前述の実施形態の図６（ａ）、（ｂ）にそれぞれ対応し、図１４は前述の実施形態の図７にそれぞれ対応しており、掘削される先行孔５の径が違うだけで、前述の実施形態と同様の施工順序で施工が行われる。
【００５０】
この実施形態においては、３本以上の後行用の掘削軸８のうち一部の後行用の掘削軸８を上記先行孔５に挿入すると共に、他の後行用の掘削軸８で先行孔５間の掘り残し部４を掘削して先行孔５と連通する後行孔９を形成する際、先行孔５が多少傾いていたとしても、先行孔５に後行用の掘削軸８をスムーズに挿入して先行孔５で後行用の掘削軸８をガイドしながら後行孔９を掘削できる。しかも、先行孔５の孔径が大きいので、確実に先行孔５と後行孔９とを一部重複しながら交互に連通連続するように掘削できることになる。
【００５１】
上記実施形態においては、３つの軸取付部１１を有する駆動部１２を備えた多軸掘削機７（３軸用の多軸掘削機）に、先行孔５を掘削する際には、２本の先行用の掘削軸２を取付けて使用することで２個で対になった先行孔５を掘削し、後行孔９を掘削する際には、３本の後行用の掘削軸８を取付けて使用することで、後行孔９を掘削する例で説明したが、４つ以上の軸取付部１１を有する駆動部１２を備えた多軸掘削機７に、２本の先行用の掘削軸２を取付けて使用することで２個で対になった先行孔５を掘削し、後行孔９を掘削する際には、４つ以上のすべての軸取付部１１に後行用の掘削軸８を取付けて使用することで、後行孔９を掘削するようにしてもよい。
【００５２】
図１５乃至図２１には５軸用の多軸掘削機７を用いて施工した例が示してある。
【００５３】
５軸用の多軸掘削機７の５つの軸取付部１１のうち左右両端部から１つ内側に位置する軸取付部１１にそれぞれ先行用の２本の先行用の掘削軸２を取付けて、前述の実施形態と同様に２個で対になった先行孔５を掘削して、先行孔列６を形成する。次に、２本の先行用の掘削軸２を取外して、５つの軸取付部１１に５本の後行用の掘削軸８の上端部をそれぞれ取付け、これにより前述の実施形態と同様に後行孔９を掘削して、連続孔１０を形成する。
【００５４】
ここで、図１５（ａ）、（ｂ）、（ｃ）は前述の図１（ａ）、（ｂ）、（ｃ）にそれぞれ対応し、図１６（ａ）、（ｂ）、（ｃ）は前述の実施形態の図２（ａ）、（ｂ）、（ｃ）にそれぞれ対応し、図１７（ａ）、（ｂ）は前述の実施形態の図３（ａ）、（ｂ）にそれぞれ対応し、図１８（ａ）、（ｂ）、（ｃ）は前述の実施形態の図４（ａ）、（ｂ）、（ｃ）にそれぞれ対応し、図１９（ａ）、（ｂ）、（ｃ）は前述の実施形態の図５（ａ）、（ｂ）（ｃ）にそれぞれ対応し、図２０（ａ）、（ｂ）は前述の実施形態の図６（ａ）、（ｂ）にそれぞれ対応し、図２１は前述の実施形態の図７にそれぞれ対応しており、後行用の掘削軸８の本数が異なって一度に掘削する後行孔９の数が違うだけで、前述の実施形態と同様の施工順序で施工が行われる。
【００５５】
この実施形態においては、５軸用の多軸掘削機７で後行孔９を２個以上同時に掘削できるので、掘削が速いのはもちろん、先行孔５の掘削に当っても、５本の掘削軸を取付けて回転させて掘削する能力を持った駆動部１２により２本の先行用の掘削軸２を回転駆動して対となった２個の先行孔５を掘削でき、硬い地盤３であっても、容易且つ正確に対となった２個の先行孔５を同時に掘削できることになる。
【図面の簡単な説明】
【００５６】
【図１】本発明の一実施形態の施工順序を示し、（ａ）は先行用の掘削軸で先行孔を掘削している状態の縦断面図であり、（ｂ）は同上の掘削された対となった２個の先行孔の縦断面図であり、（ｃ）は同上の掘削された対となった２個の先行孔の横断面図である。
【図２】同上の施工順序を示し、（ａ）は先行用の掘削軸で次の対となった２個の先行孔を掘削している状態の縦断面図であり、（ｂ）は同上の次に掘削された対となった２個の先行孔の縦断面図であり、（ｃ）は同上の次に掘削された対となった２個の先行孔の横断面図である。
【図３】同上の施工順序を示し、（ａ）は同上により形成された先行孔列の縦断面図であり、（ｂ）は横断面図である。
【図４】同上の施工順序を示し、（ａ）は後行用の掘削軸で後行孔を掘削している状態の縦断面図であり、（ｂ）は同上の掘削された先行孔と後行孔との縦断面図であり、（ｃ）は同上の横断面図である。
【図５】同上の施工順序を示し、（ａ）は後行用の掘削軸で次の後行孔を掘削している状態の縦断面図であり、（ｂ）は同上の掘削された先行孔と後行孔との縦断面図であり、（ｃ）は同上の横断面図である。
【図６】同上の施工順序を示し、（ａ）は後行用の掘削軸で更に次に掘削された後行孔と先行孔との縦断面図であり、（ｂ）は同上の横断面図である。
【図７】同上により形成された連続孔の横断面図である。
【図８】本発明の他の実施形態の施工順序を示し、（ａ）は先行用の掘削軸で先行孔を掘削している状態の縦断面図であり、（ｂ）は同上の掘削された対となった２個の先行孔の縦断面図であり、（ｃ）は同上の掘削された対となった２個の先行孔の横断面図である。
【図９】同上の施工順序を示し、（ａ）は先行用の掘削軸で次の対となった２個の先行孔を掘削している状態の縦断面図であり、（ｂ）は同上の次に掘削された対となった２個の先行孔の縦断面図であり、（ｃ）は同上の次に掘削された対となった２個の先行孔の横断面図である。
【図１０】同上の施工順序を示し、（ａ）は同上により形成された先行孔列の縦断面図であり、（ｂ）は横断面図である。
【図１１】同上の施工順序を示し、（ａ）は後行用の掘削軸で後行孔を掘削している状態の縦断面図であり、（ｂ）は同上の掘削された先行孔と後行孔との縦断面図であり、（ｃ）は同上の横断面図である。
【図１２】同上の施工順序を示し、（ａ）は後行用の掘削軸で次の後行孔を掘削している状態の縦断面図であり、（ｂ）は同上の掘削された先行孔と後行孔との縦断面図であり、（ｃ）は同上の横断面図である。
【図１３】同上の施工順序を示し、（ａ）は後行用の掘削軸で更に次に掘削された後行孔と先行孔との縦断面図であり、（ｂ）は同上の横断面図である。
【図１４】同上により形成された連続孔の横断面図である。
【図１５】本発明の他の実施形態の施工順序を示し、（ａ）は先行用の掘削軸で先行孔を掘削している状態の縦断面図であり、（ｂ）は同上の掘削された対となった２個の先行孔の縦断面図であり、（ｃ）は同上の掘削された対となった２個の先行孔の横断面図である。
【図１６】同上の施工順序を示し、（ａ）は先行用の掘削軸で次の対となった２個の先行孔を掘削している状態の縦断面図であり、（ｂ）は同上の次に掘削された対となった２個の先行孔の縦断面図であり、（ｃ）は同上の次に掘削された対となった２個の先行孔の横断面図である。
【図１７】（ａ）は同上により形成された先行孔列の縦断面図であり、（ｂ）は横断面図である。
【図１８】同上の施工順序を示し、（ａ）は後行用の掘削軸で後行孔を掘削している状態の縦断面図であり、（ｂ）は同上の掘削された先行孔と後行孔との縦断面図であり、（ｃ）は同上の横断面図である。
【図１９】同上の施工順序を示し、（ａ）は後行用の掘削軸で次の後行孔を掘削している状態の縦断面図であり、（ｂ）は同上の掘削された先行孔と後行孔との縦断面図であり、（ｃ）は同上の横断面図である。
【図２０】同上の施工順序を示し、（ａ）は後行用の掘削軸で更に次に掘削された後行孔と先行孔との縦断面図であり、（ｂ）は同上の横断面図である。
【図２１】同上により形成された連続孔の横断面図である。
【符号の説明】
【００５７】
１  連結手段
２  掘削軸
３  地盤
４  掘り残し部
５  先行孔
６  先行孔列
７  多軸掘削機
８  掘削軸
９  後行孔
１０  連続孔
１１  軸取付部
１２  駆動部
【図１】
2009150145.tif 000003
【図２】
2009150145.tif 000004
【図３】
2009150145.tif 000005
【図４】
2009150145.tif 000006
【図５】
2009150145.tif 000007
【図６】
2009150145.tif 000008
【図７】
2009150145.tif 000009
【図８】
2009150145.tif 000010
【図９】
2009150145.tif 000011
【図１０】
2009150145.tif 000012
【図１１】
2009150145.tif 000013
【図１２】
2009150145.tif 000014
【図１３】
2009150145.tif 000015
【図１４】
2009150145.tif 000016
【図１５】
2009150145.tif 000017
【図１６】
2009150145.tif 000018
【図１７】
2009150145.tif 000019
【図１８】
2009150145.tif 000020
【図１９】
2009150145.tif 000021
【図２０】
2009150145.tif 000022
【図２１】
2009150145.tif 000023